(57)【要約】    【課題】設置環境に制約を受けることない、小型、薄型、且、軽量な無線センサ送信装置を提供する。    【解決手段】回路基板１の一面に、センサ部２１、２２と、信号処理部４と、送信回路部５とを有している。電池９１は、センサ部２１、２２、信号処理部４及び送信回路部５に電源を供給するものであって、回路基板１の他面に組み付けられている。【選択図】      図２
2005352757.tif 000002
【特許請求の範囲】
【請求項１】
回路基板と、センサ部と、信号処理部と、送信回路部と、アンテナ部と、電池とを含む無線センサ送信装置であって、
前記回路基板は、一面に前記センサ部と、前記信号処理部と、前記送信回路部とを有しており、
前記センサ部は、物理量を検出するものであり、
前記信号処理部は、前記センサから出力される検出信号を処理する回路であり、
前記送信回路部は、前記信号処理部から供給される信号を、前記アンテナ部に供給する回路であり、
前記アンテナ部は、前記回路基板に組み付けられており、
前記電池は、前記センサ部、前記信号処理部及び前記送信回路部に電源を供給するものであって、前記回路基板の他面に組み付けられている
無線センサ送信装置。
【請求項２】
請求項１に記載された無線センサ送信装置であって、
前記電池は、外周が円形状であり、前記回路基板の面内にある無線センサ送信装置。
【請求項３】
請求項１または２に記載された無線センサ送信装置であって、前記アンテナ部は、支持基板とアンテナ導体とを含み、
前記支持基板は、電気絶縁材料でなり、
前記アンテナ導体は、ヘリカル状であって、前記支持基板の厚みを開口部の２辺とし、前記支持基板の厚み方向にある面と平行な方向に巻き進む、
無線センサ送信装置。
【請求項４】
請求項１乃至３の何れかに記載された無線センサ送信装置であって、前記アンテナ部は、アンテナ導体を含み、
前記アンテナ導体は、ヘリカル状であって、前記回路基板の厚みを開口部の２辺とし、前記回路基板の面と平行な方向に巻き進む、
無線センサ送信装置。
【請求項５】
請求項１乃至４の何れかに記載された無線センサ送信装置であって、前記アンテナ部は、前記電池の搭載領域外に備えられている無線センサ送信装置。
【請求項６】
請求項１乃至５の何れかに記載された無線センサ送信装置であって、
前記アンテナ部は、複数であり、前記回路基板の周縁に設けられている
無線センサ送信装置。
【請求項７】
請求項１乃至６の何れかに記載された無線センサ送信装置であって、
グランド電極を含み、前記グランド電極は、前記回路基板の前記他面において、前記アンテナ部を除くすべての範囲にベタ状に構成されている
無線センサ送信装置。
【請求項８】
無線センサ送信装置と、受信装置とを含む無線センサ装置であって、
前記無線センサ送信装置は、請求項１乃至７の何れかに記載されたものでなり、
前記受信装置は、アンテナ部、受信回路部、データ変換回路部とを含み、前記アンテナ部を通して、前記無線センサ送信装置から送信された無線信号を受信して処理する
無線センサ装置。
【発明の詳細な説明】
【技術分野】
【０００１】
本発明は、無線センサ送信装置、及び、無線センサ装置に関する。
【背景技術】
【０００２】
従来より、温度や湿度等を計測するセンサと、無線送信部と、アンテナ部とを一体化した無線センサ送信装置が知られている（特許文献１参照）。この種の無線センサ送信装置は、温度、湿度または照度の計測値を利用する機器から、空間的に離間させることができるため、複数の場所にそれぞれ無線センサ送信装置を配置して得られる計測値を集中管理したり、無線センサ送信装置を移動、携帯することができるなど、多様な形態での利用が可能となる。
【０００３】
上述した利用形態について、従来の無線センサ送信装置では、以下の問題が生じていた。即ち、従来の無線センサ送信装置においては、電源を商用電源（ＡＣ電源）に求める構成をとることが一般的である。従って、無線センサ送信装置を新たに設置する場合、及び、設置後に任意の場所に移動する場合には、電源の確保について設置環境に制約を受けることとなり、電源をとれる範囲の環境でしか設置することができなかった。
【０００４】
一方、無線センサ送信装置をＡＣ電源のない環境で設置する場合、及び、無線センサ送信装置を携帯する場合、電源を電池に求める構成をとることが一般的である。しかし、無線センサ送信装置を電池駆動とした場合、無線センサ装置自身の形状小型化の要請と、消費電流の低減化の要請とを共に実現することは技術的に困難であった。例えば、無線センサ送信装置は、無線送信の周波数が下がるほど、アンテナ部の形状を大きくする必要がある。
【０００５】
しかし、小型化、薄型化、及び、軽量化の要請からアンテナ部の形状を小型化した場合、無線センサ送信装置に必要とされる消費電流が増加することとなるから、無線センサ送信装置を電池駆動とした場合は、電池寿命が、半年〜１年間という短期間で終了してしまう不都合を生じていた。
【０００６】
同様に、無線センサ送信装置の電池寿命を長期間に渡って維持するためには、大型の電池を用いる必要がある。従来の無線センサ送信装置は、３．０Ｖ電源をつくるために、単三電池２本を要していたため、小型化、薄型化、及び、軽量化の要請に充分に応えることができなかった。
【０００７】
さらに、無線センサ装置自身の形状小型化の要請、及び、消費電流の低減化の要請とを共に実現するためには、アンテナ部の低損失化、電磁界の輻射効率のアップが必要である。即ち、より低いアンテナ部ヘの入力電力で、通信距離のアップ化がなされれば、アンテナ部前段の回路部の消費電力を低減化でき、無線センサ装置全体での消費電流の低減化、ひいては、電池寿命のアップ化と連続動作時間のアップ化へつながる。しかし、従来の無線センサ送信装置では、このようなアンテナ部の低損失化、電磁界の輻射効率のアップを充分に達成することができなかった。
【特許文献１】特開２００２−１４０７２公報
【発明の開示】
【発明が解決しようとする課題】
【０００８】
本発明の課題は、設置環境に制約を受けることない無線センサ送信装置、及び、無線センサ装置を提供することである。
【０００９】
本発明のもう一つの課題は、小型、薄型、且、軽量な無線センサ送信装置、及び、無線センサ装置を提供することである。
【００１０】
本発明の更にもう一つの課題は、形状小型化と消費電流の低減化とを達成した無線センサ送信装置、及び、無線センサ装置を提供することである。
【００１１】
本発明の更にもう一つの課題は、電池寿命及び連続動作時間をより長時間に渡って確保することができる無線センサ送信装置、及び、無線センサ装置を提供することである。
【課題を解決するための手段】
【００１２】
上述した課題を解決するため、本発明に係る無線センサ送信装置は、回路基板と、センサ部と、信号処理部と、送信回路部と、アンテナ部と、電池とを含む。
【００１３】
前記回路基板は、一面に前記センサ部と、前記信号処理部と、前記送信回路部とを有する。前記センサ部は、物理量を検出するものである。前記信号処理部は、前記センサから出力される検出信号を処理する回路部分である。前記送信回路部は、前記信号処理部から供給される信号を、前記アンテナ部に供給する回路である。前記アンテナ部は、前記回路基板に組み付けられている。
【００１４】
上述したように、本発明に係る無線センサ送信装置は、回路基板と、センサ部と、信号処理部と、送信回路部と、アンテナ部とを含んでおり、センサにより物理量を検出し、センサから出力される検出信号を信号処理部によって処理し、信号処理部から供給される信号を、送信回路部によってアンテナ部に供給するから、センサにより検出された物理量を、受信装置に向けて、無線送信することができる。測定対象となる物理量には、温度、湿度、照度、加速度、衝撃等の諸量が含まれる。
【００１５】
本発明に係る無線センサ送信装置は、電池を含み、前記電池は、前記センサ部、前記信号処理部及び前記送信回路部に電源を供給する。従って、無線センサ送信装置を新たに設置する場合、及び、設置後に任意の場所に移動する場合には、電源の確保について設置環境に制約を受けることがなくなり、ＡＣ電源のない環境に自由に設置して用いることができる。即ち、設置環境に制約を受けることがない。
【００１６】
本発明に係る無線センサ送信装置において、前記電池は、前記回路基板の他面に組み付けられている。即ち、回路基板の一面側に、前記センサ部、前記信号処理部及び前記送信回路部を配置し、他面に電池を配置する構造である。したがって、小型、薄型、且、軽量の無線センサ送信装置を実現することができる。
【００１７】
前記電池は、好ましくは、外周が円形状であり、前記回路基板の面内にある。このような構成によれば、全体の平面外形寸法を、電池の外径による影響を受けず、専ら、回路基板の平面積によって定まる形状まで小型化できる。
【００１８】
ところで、無線センサ送信装置を電池駆動とした場合、無線センサ送信装置自身の小型化の要請と、消費電流の低減化の要請とを共に満たすことには技術的困難性を伴う。例えば、小型化、薄型化、及び、軽量化の要請からアンテナ部の形状を小型化した場合、無線センサ送信装置に必要とされる消費電流が増加することとなるから、電池寿命が、半年〜１年間という短期間で終了してしまう不都合を生じてしまいかねない。
【００１９】
勿論、単三電池２本を用いて、３．０Ｖ電源をつくるなど、電池の大容量化、大型化を図れば、電池寿命を長期間に渡って維持することはできるが、反面、小型化、薄型化、及び、軽量化の要請に充分に応えることができなくなる。
【００２０】
さらに、無線センサ送信装置自身の小型化の要請、及び、消費電流の低減化の要請とを共に実現するためには、より低いアンテナ部ヘの入力電力で、通信距離が増大できなければならない。そのためには、アンテナ部の損失を低下させるとともに、電磁界の輻射効率を上げなければならない。
【００２１】
本発明は、このような課題解決に有効な手段も開示する。この無線センサ送信装置では、まず、前記アンテナ部は、支持基板とアンテナ導体とを含む。前記支持基板は、電気絶縁材料でなる。前記アンテナ導体は、ヘリカル状であって、前記支持基板の厚みを開口部の２辺とし、前記支持基板の厚み方向にある面と平行な方向に巻き進む。
【００２２】
アンテナ導体は、ヘリカル巻に構成されているから、その形状効果により、アンテナ部の全長を著しく短縮できる。このため、形状を著しく小型化した無線センサ送信装置を提供することができる。
【００２３】
しかも、アンテナ導体は、支持基板の厚み方向にある面と平行な一方向に巻き進むから、支持基板の面が回路基板の面と平行になるように、アンテナ部を回路基板に組みあわせることにより、アンテナ部に流れる高周波電流磁界のうち、グランド電極を貫通する成分を著しく減少させ、高周波電流磁界による渦電流の発生を抑制することができる。更に、全体を小型化したにもかかわらず、電磁ノイズがアンテナ部に乗るのを回避し得る。
【００２４】
更に、アンテナ部は、ヘリカル状であって、支持基板の厚みを開口部の２辺とするから、開口部の面積をコントロールすることにより、アンテナ利得を向上させることができる。
【００２５】
この結果、無線センサ送信装置自身の小型化の要請、及び、消費電流の低減化の要請とを共に実現し、アンテナ部の低損失化、電磁界の輻射効率の向上を達成することができる。即ち、より低いアンテナ部ヘの入力電力で、通信距離を増大させ、反射的に、アンテナ部前段の回路部の消費電力を低減化させ、無線センサ装置全体での消費電流の低減化、ひいては、電池寿命及び連続動作時間の長期化を達成することができる。
【００２６】
好ましくは、前記アンテナ部は、前記電池の搭載領域外に備えられる。この構成によれば、電池に、高周波電流磁界による渦電流が発生するのを抑制し、アンテナ効率を向上させることができる。
【００２７】
１つの態様として、アンテナ部は、複数とし、それぞれを、回路基板の周縁に設けることができる。この構成によれば、送信の指向性を調整することができる。
【００２８】
本発明に係る無線センサ送信装置は、受信装置と組み合わされ、無線センサ装置を構成する。受信装置は、前記アンテナ部を通して、前記無線センサ送信装置から送信された無線信号を受信して処理する。これにより、隔地で測定された物理量を、受信装置で受信し、解読し、表示することができる。
【００２９】
本発明の他の特徴及びそれによる作用効果は、添付図面を参照し、実施例によって更に詳しく説明する。
【発明を実施するための最良の形態】
【００３０】
図１は本発明に係る無線センサ送信装置の平面図、図２は図１に示した無線センサ送信装置の正面図、図３は図１、図２に示した無線センサ送信装置の部分破断底面図、図４は図１〜図３に示した無線センサ送信装置の電気回路図である。図１〜図３を参照すると、本発明に係る無線センサ送信装置は、モジュール化されており、回路基板１と、センサ２１、２２と、センサ回路３１、３２と、信号処理部４と、送信回路部５と、アンテナ部６と、電池９１とを含む。
【００３１】
回路基板１は、絶縁材料で構成されていればよく、有機系絶縁材料、無機系絶縁材料又は複合絶縁材料の何れを用いてもよい。また、全体が誘電体材料で構成されていてもよいし、誘電体材料層と磁性材料層との組み合わせであってもよい。
【００３２】
センサ２１、２２は、物理量を検出するものであって、回路基板１の一面に搭載されている。測定対象となる物理量には、温度、湿度、照度、加速度、衝撃等の諸量が含まれる。各種のセンサを組み合わせて用いてもよいし、一種のセンサとして構成してもよい。
【００３３】
図４を参照すると、モジュール一個当たりのセンサ個数はｎ（ｎ＝１、２、３、．．．）となっている。センサ回路３１〜３ｎは、センサ２１〜２ｎに個別的に備えられる。個数ｎは任意である。図１〜図３の実施例は、ｎ＝２の場合を示している。以下、ｎ＝２として説明する。
【００３４】
センサ回路３１、３２は、センサ２１、２２のそれぞれに個別的に備えられ、センサ２１、２２で検出された信号を、後段の信号処理部４に対する伝送及び処理に適した信号に変換し、これを出力する。センサ回路３１、３２は、センサ２１、２２の内部要素として、センサ２１、２２と一体に構成されていてもよい。図示実施例では、センサ回路３１、３２は、センサ２１、２２とは独立の回路として、回路基板１の一面に搭載されている。
【００３５】
信号処理部４は、センサ２１、２２またはセンサ回路３１、３２から出力される検出信号を処理する回路部分であって、回路基板１の一面に搭載されている。
【００３６】
送信回路部５は、信号処理部４から供給される信号を、アンテナ部６に供給する回路であって、回路基板１の一面に搭載されている。
【００３７】
アンテナ部６は、回路基板１に組み付けられている。図示実施例において、アンテナ部６は、回路基板１の一面上において、その周辺に設けられている。
【００３８】
グランド電極７は、いわゆる「ベタ塗り」であるが、アンテナ部６の下側に位置する部分には形成しない。アンテナ部６に対するグランド電極７の悪影響を回避するためである。
【００３９】
電池９１は、センサ２１、２２、信号処理部４及び送信回路部５に電源を供給するものであって、回路基板１の他面、即ち、グランド電極７のある側に組み付けられている。図示の実施例では、電池９１は、外周が円形状のいわゆる「コイン型」であり、外周面が回路基板１の他面において、その外部に出ないように、面内に設けられている。より具体的には、絶縁性合成樹脂などで構成されたホルダ９２の内部に配置されている。ホルダ９２は、一面が、回路基板１の他面に設けられたグランド電極７の面上に接着などの手段によって取り付けられている。ホルダ９２の内部には、電池９１の陽極、電極に接触する端子９３、９４が備えられている。
【００４０】
上述したように、本発明に係る無線センサ送信装置は、センサ２１、２２により物理量を検出し、センサ２１、２２から出力される検出信号を信号処理部４によって処理し、信号処理部４から供給される信号を、送信回路部５によってアンテナ部６に供給するから、センサ２１、２２により検出された物理量を、受信装置に向けて、無線送信することができる。
【００４１】
しかも、本発明に係る無線センサ送信装置は、電池９１を含み、電池９１は、センサ２１、２２、信号処理部４及び送信回路部５に電源を供給する。従って、無線センサ送信装置を新たに設置する場合、及び、設置後に任意の場所に移動する場合には、電源の確保について設置環境に制約を受けることがなくなり、ＡＣ電源のない環境に自由に設置して用いることができる。即ち、設置環境に制約を受けることがない。
【００４２】
本発明に係る無線センサ送信装置において、電池９１は、回路基板１の他面(グランド電極側)に組み付けられている。即ち、回路基板１の一面側に、センサ２１、２２、信号処理部４及び送信回路部５を配置し、他面に電池９１を配置する構造である。したがって、小型、薄型、且、軽量の無線センサ送信装置を実現することができる。
【００４３】
電池９１は、好ましくは、外周が円形状であり、回路基板１の面内にある。このような構成によれば、全体の平面外形寸法を、電池９１の外径による影響を受けず、専ら、回路基板１の平面積によって定まる形状まで小型化できる。
【００４４】
ところで、無線センサ送信装置を電池駆動とした場合、無線センサ送信装置自身の小型化の要請と、消費電流の低減化の要請とを共に満たすことは技術的困難性を伴う。例えば、小型化、薄型化、及び、軽量化の要請からアンテナ部６の形状を小型化した場合、無線センサ送信装置に必要とされる消費電流が増加することとなるから、電池寿命が、半年〜１年間という短期間で終了してしまう不都合を生じてしまいかねない。
【００４５】
勿論、単三電池２本を用いて、３．０Ｖ電源をつくるなど、電池の大容量化、大型化を図れば、電池寿命を長期間に渡って維持することはできるが、反面、小型化、薄型化、及び、軽量化の要請に充分に応えることができなくなる。
【００４６】
さらに、無線センサ送信装置自身の小型化の要請、及び、消費電流の低減化の要請とを共に実現するためには、より低いアンテナ部６ヘの入力電力で、通信距離が増大できなければならない。そのためには、アンテナ部６の損失を低下させるとともに、電磁界の輻射効率を上げなければならない。
【００４７】
図５〜図１９は、上述した課題解決に有効な無線センサ装置の例を示している。これらの図において、先に示した図面に現れた構成部分に相当する部分には、同一の参照符号を付してある。以下各実施例について、詳細に説明する。
【００４８】
まず、図５は本発明に係る無線センサ送信装置の他の実施例を示す平面図、図６は図５に示した無線センサ送信装置の部分断面図、図７は、図５及び図６に示した無線センサ送信装置において、電池を省略して示した底面図、図８はアンテナ部６の拡大図である。この実施例の特徴は、アンテナ部６にある。アンテナ部６は、回路基板１で構成された支持基板と、アンテナ導体６１〜６４とを含む。回路基板１は、電気絶縁材料でなる。アンテナ導体６１〜６４は、全体として、ヘリカル状であって、回路基板１の厚みを開口部の２辺とし、回路基板１の面と平行な一方向に巻き進む。
【００４９】
より具体的には、図８に示すように、第１の導体片６１を、回路基板１の一面に、一方向に所定の間隔で形成するとともに、裏面に、第１の導体片６１と同一のピッチで、同方向に第２の導体片６２を形成する。そして、回路基板１を厚み方向に貫通する第３の導体片６３及び第４の導体片６４により、ヘリカル接続となるように、第１の導体片６１及び第２の導体片６２の端部を順次に接続する。これにより、第１の導体片６２、第３の導体片６３、第２の導体片６２及び第４の導体片６４によって囲まれた開口部が生じる。この開口部の面積は、ほぼ、第１の導体片６１及び第２の導体片６２の有効長Ｘと、第３の導体片６３及び第４の導体片６４の有効長Ｙとの積ＸＹによって定まる。
【００５０】
インビーダンスの共振点を、無線送信する周波数にあわせるには、開口面積、巻き数、基板材料の誘電率を調整すればよい。無線送信周波数が下がる程、開ロ面積、巻き数、又は誘電率を上げなければならない。開ロ面積を上げるには、回路基板１の厚み、又は、アンテナ形成部の床面積を大きくすればよいが、アンテナ形成部の形状も大きくなり、装置形状も大きくなる。
【００５１】
一方、巻き数や基板材料の誘電率を上げれば、装置形状を大きくすることなく、インピーダンスを下げることができる。巻き数を上げるとパターン長が増える為、パターンによる導体損失も増加するが、回路基板１を構成する材料の比誘電率(εr)を上げれば、巻き数を減らすことができる。これにより、パターンによる導体損失を低減でき、アンテナ部６としての損失が増大することなく、形状を小型化できる。
【００５２】
上述したように、アンテナ部６において、アンテナ導体６１〜６４は、ヘリカル巻に構成されているから、その形状効果により、アンテナ部６の全長を著しく短縮できる。このため、形状を著しく小型化した無線センサ送信装置を提供することができる。
【００５３】
しかも、アンテナ導体６１〜６４は、回路基板１の面と平行な一方向に巻き進むから、アンテナ部６に流れる高周波電流磁界のうち、グランド電極７を貫通する成分を著しく減少させ、高周波電流磁界による渦電流の発生を抑制することができる。更に、全体を小型化したにもかかわらず、電磁ノイズがアンテナ部６に乗るのを回避し得る。
【００５４】
しかも、アンテナ部６は、ヘリカル状であって、回路基板１の厚みを開口部の２辺とするから、開口部の面積をコントロールすることにより、アンテナ利得を向上させることができる。
【００５５】
この結果、無線センサ送信装置自身の小型化の要請、及び、消費電流の低減化の要請とを共に実現し、アンテナ部６の低損失化、電磁界の輻射効率の向上を達成することができる。即ち、より低いアンテナ部６ヘの入力電力で、通信距離を増大させ、反射的に、アンテナ部６の前段に備えられる回路部の消費電力を低減化させ、無線センサ装置全体での消費電流の低減化、ひいては、電池寿命及び連続動作時間の長期化を達成することができる。
【００５６】
アンテナ部６は、電池９１の搭載領域外に備えられる。また、アンテナ部６の占有領域内には、アンテナ部６以外の電気的要素、例えば、導体パターン又は他の部品を配置しない構成が好ましい。このような構成によれば、電気信号や、電磁界のアンテナ部６に対する干渉を回避し、ノイズの発生を抑制できる他、渦電流漏れが低減され、アンテナ利得が向上する。
【００５７】
図９は本発明に係る無線センサ送信装置の別の実施例を示す平面図、図１０は図９に示した無線センサ送信装置の部分断面図である。この実施例の特徴は、アンテナ導体６１〜６４を支持する支持基板６０を、無線センサ送信装置のための回路基板１から独立させた点にある。アンテナ部６は、センサ２１、２２、信号処理部４及び送信回路部５の搭載されている回路基板１の一面に搭載されている。
【００５８】
この実施例によれば、回路基板１がアンテナ部６の開口面積に影響を与えなくなるため、回路基板１の厚みを薄くし、装置全体の薄型化を達成できる。アンテナ部６の搭載されている回路基板１の一面には、もともと、センサ２１、２２、信号処理部４及び送信回路部５が搭載されているから、アンテナ部６を回路基板１の一面に搭載したとしても、装置全体の厚みが増大することはない。
【００５９】
しかも、アンテナ導体６１〜６４を支持する支持基板６０を、回路基板１から独立させてあるため、支持基板６０を、回路基板１を構成する誘電体材料よりも高い比誘電率を有する誘電体材料によって構成し、小型化を図りながら、アンテナ利得を向上させることができる。アンテナ利得は、支持基板６０を構成する誘電体材料の誘電率を調整することによっても、調整することができる。
【００６０】
図１１は本発明に係る無線センサ送信装置の更に別の実施例を示す平面図、図１２は図１１に示した無線センサ送信装置の部分断面図である。この実施例の特徴は、回路基板１の周縁に複数のアンテナ部６を備えることである。このような配置構成によると、アンテナ部６のアンテナ導体６１〜６４の長さを調整し、使用する周波数に対応させることができる。アンテナ部６の数は、４個以下、例えば、相対向する２周縁に設ける構成（合計２個）であってもよいし、回路基板１の平面形状によっては、４個以上設けてもよい。
【００６１】
図１３は本発明に係る無線センサ送信装置の更に別の実施例を示す平面図である。この実施例の特徴は、回路基板１の４隅部にアンテナ部６を備えることである。このような配置構成によると、周波数に対応するアンテナ導体長の調整のほか、アンテナ部６の指向性を緩和できる。図示実施例の場合、回路基板１４の４隅部にアンテナ部６を配置してあるので、回路基板１の全周において指向性を平均化できる。
【００６２】
図１４は本発明に係る無線センサ送信装置の更に別の実施例を示す平面図、図１５は図１４に図示した無線センサ送信装置の部分断面、図１６は図１４及び図１５に図示した無線センサ送信装置において、電池９１及びホルダを省略して示した底面図である。この実施例の特徴は、アンテナ部６を、回路基板１の一辺に沿って、そのほぼ全長にわたって設けた点にある。アンテナ部６は、回路基板１に直接に設けられている。アンテナ部６と対応する部分には、グランド電極７は設けられていない(図１６参照)。
【００６３】
図１７は、本発明に係る無線センサ送信装置の別の実施例を示す平面図、図１８は図１７に示した無線センサ送信装置の部分断面図である。この実施例では、アンテナ部６は、回路基板１から独立した支持基板６０に、アンテナ導体６１〜６４を形成した構造となっている。
【００６４】
図１９は本発明に係る無線センサ送信装置の更に別の実施例を示す平面図である。図において、先に示した図面に表れた構成部分に相当する部分には、同一の参照符号を付してある。この実施例の特徴は、回路基板１の周縁のほぼ全長にわたって複数のアンテナ部６を備えることである。このような配置構成によると、アンテナ部６の指向性を緩和できる。図示実施例の場合、回路基板１４の４周縁にアンテナ部６を配置してあるので、回路基板１の全周において指向性を平均化できる。また、アンテナ部６によって囲まれた内部の導体パターンの影響を軽減することもできる。
【００６５】
図２０は本発明に係る無線センサ装置の構成を示すブロック図である。図において、先に示した図面に表れた構成部分に相当する部分については、同一の参照符号を付してある。図示するように、本発明に係る無線センサ送信装置１０１〜１０ｍは、受信装置８と組み合わされ、無線センサ装置を構成する。図示実施例において、ｍ個の無線センサ送信装置１０１〜１０ｍが備えられている。これらは、互いに異なる位置に配置されているものとする。無線センサ送信装置１０１〜１０ｍの個数ｍ（ｍ＝１、２、３、．．．）は任意でよい。
【００６６】
受信装置８は、アンテナ部６８１と、受信回路８２と、ＣＰＵ等で構成された信号処理回路８３と、ディスプレイなどの表示部８４とを備える。そのほか、パソコンとのインターフェースをとるための変換部などを備えていてもよい。受信装置８は、無線センサ送信装置１０１〜１０ｍから送信された無線信号を、アンテナ部６８１及び受信回路８２によって受信し、信号処理装置８３で処理する。そして、処理結果を、表示部８４に表示する。これにより、隔地で測定された物理量を、受信装置８で受信し、解読し、表示することができる。
【００６７】
図２１は本発明に係る無線センサ装置の構成を示すブロック図である。図において、先に示した図面に表れた構成部分に相当する部分については、同一の参照符号を付してある。図示するように、図示実施例において、１個の無線センサ送信装置に対して、ｍ個の受信装置８０１〜８０ｍが備えられている。これらは、互いに異なる位置に配置されているものとする。受信装置８０１〜８０ｍの個数ｍ（ｍ＝１、２、３、．．．）は任意でよい。
【００６８】
受信装置８０１〜８０ｍのそれぞれは、無線センサ送信装置１０から送信された無線信号を、アンテナ部６８１及び受信回路８２によって受信し、信号処理装置８３で処理する。そして、処理結果を、表示部８４に表示する。これにより、隔地で測定された物理量を、別々の場所に設置された受信装置８０１〜８０ｍで個別的に受信し、解読し、表示することができる。
【００６９】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００７０】
【図１】本発明に係る無線センサ送信装置の平面図である。
【図２】図１に示した無線センサ送信装置の正面図である。
【図３】図１、図２に示した無線センサ送信装置の部分破断底面図である。
【図４】図１〜図３に示した無線センサ送信装置の電気回路図である。
【図５】本発明に係る無線センサ送信装置の他の実施例を示す平面図である。
【図６】図５に示した無線センサ送信装置の部分断面図である。
【図７】図５及び図６に示した無線センサ送信装置において、電池を省略して示した底面図である。
【図８】アンテナ部の拡大図である。
【図９】本発明に係る無線センサ送信装置の別の実施例を示す平面図である。
【図１０】図９に示した無線センサ送信装置の部分断面図である。
【図１１】本発明に係る無線センサ送信装置の更に別の実施例を示す平面図である。
【図１２】図１１に示した無線センサ送信装置の部分断面図である。
【図１３】本発明に係る無線センサ送信装置の更に別の実施例を示す平面図である。
【図１４】本発明に係る無線センサ送信装置の更に別の実施例を示す平面図である。
【図１５】図１４に図示した無線センサ送信装置の部分断面である。
【図１６】図１４及び図１５に図示した無線センサ送信装置において、電池及びホルダを省略して示した底面図である。
【図１７】本発明に係る無線センサ送信装置の別の実施例を示す平面図である。
【図１８】図１７に示した無線センサ送信装置の部分断面図である。
【図１９】本発明に係る無線センサ送信装置の更に別の実施例を示す平面図である。
【図２０】本発明に係る無線センサ装置の構成を示すブロック図である。
【図２１】本発明に係る無線センサ装置の構成を示すブロック図である。
【符号の説明】
【００７１】
１                回路基板１
２１、２２        センサ
３１〜３ｎ        センサ回路
４                信号処理部
５                送信回路部
６                アンテナ部
６０              支持基板
６１〜６４        アンテナ導体
９１              電池
【図１】
2005352757.tif 000003
【図２】
2005352757.tif 000004
【図３】
2005352757.tif 000005
【図４】
2005352757.tif 000006
【図５】
2005352757.tif 000007
【図６】
2005352757.tif 000008
【図７】
2005352757.tif 000009
【図８】
2005352757.tif 000010
【図９】
2005352757.tif 000011
【図１０】
2005352757.tif 000012
【図１１】
2005352757.tif 000013
【図１２】
2005352757.tif 000014
【図１３】
2005352757.tif 000015
【図１４】
2005352757.tif 000016
【図１５】
2005352757.tif 000017
【図１６】
2005352757.tif 000018
【図１７】
2005352757.tif 000019
【図１８】
2005352757.tif 000020
【図１９】
2005352757.tif 000021
【図２０】
2005352757.tif 000022
【図２１】
2005352757.tif 000023